(57)【要約】【課題】本考案は、表示面の表示色を適正に確保でき、かつ、既存の誘導灯を簡略に蓄光式誘導灯に転換し得る簡略構成の蓄光誘導灯を提供する。【解決手段】本考案の蓄光誘導灯１は、発光ダイオード３を用い、直方体状に形成した光源部２と、この光源部３からの光を導光拡散させる導光拡散板１１と、導光拡散板１１からの拡散光を受光し蓄積しながら白色光を提供し光源部２からの光遮断時に蓄積光を残光として放射する蓄光板１２と、所定の色に着色された誘導標識部１４を有し光源部２からの光遮断時に前記蓄光板１２からの残光により発光する表面カバー体１３と、導光拡散板１１の背面側に配置した遮蔽カバー体１５と、を一体化した発光体部１０とを有し、前記光源部２と発光体部１０とを全体として直方体状を呈するように連設したものである。【選択図】図１
0003126797.tif 000002
【実用新案登録請求の範囲】
【請求項１】
発光ダイオード等を用いた光源部と、
この光源部からの光を導光拡散させる導光拡散板と、導光拡散板からの拡散光を受光し蓄積しながら白色光を提供し光源部からの光遮断時に蓄積光を残光として放射する蓄光板と、所定の色に着色された誘導標識部を有し光源部からの光遮断時に前記蓄光板からの残光により発光する表面カバー体と、を一体化した発光体部と、
を有し、
前記光源部に発光体部を連設したことを特徴とする蓄光誘導灯。
【請求項２】
発光ダイオード等を用い、直方体状に形成した光源部と、
この光源部からの光を導光拡散させる導光拡散板と、この導光拡散板からの拡散光を受光し蓄積しながら白色光を提供し光源部からの光遮断時に蓄積光を残光として放射する蓄光板と、所定の色に着色された誘導標識部を有し光源部からの光遮断時に前記蓄光板からの残光により発光する表面カバー体と、前記導光拡散板の背面側に配置した遮蔽カバー体と、を一体化した発光体部と、
を有し、
前記光源部と発光体部とを全体として直方体状を呈するように連設したことを特徴とする蓄光誘導灯。
【請求項３】
発光ダイオード等を用い、直方体状に形成した光源部と、
この光源部からの光を導光拡散させる導光拡散板と、導光拡散板からの拡散光を受光し蓄積しながら白色光を提供し光源部からの光遮断時に蓄積光を残光として放射する蓄光板と、所定の色に着色された誘導標識部を有し光源部からの光遮断時に前記蓄光板からの残光により発光する表面カバー体と、前記導光拡散板の背面側に配置した遮蔽カバー体と、前記導光拡散板の背面側と遮蔽カバー体との間に配置した反射シートと、を一体化した発光体部と、
を有し、
前記光源部と発光体部とを全体として直方体状を呈するように連設したことを特徴とする蓄光誘導灯。
【請求項４】
近紫外光を発するブラックライト発光ダイオード等を用い、直方体状に形成した光源部と、
この光源部からの近紫外光の照射領域に配置され前記近紫外光を導光拡散させるとともに、拡散光の放射面に蓄光材を含み所定の色に着色された誘導標識部を備え、拡散光を受光蓄積して光源部からの光遮断時に誘導標識部自体を発光させる蓄光表示体と、この蓄光表示体の表面側に配置した表面カバー体と、前記蓄光表示体の背面側に配置した遮蔽カバー体と、を一体化した発光体部と、
を有し、
前記光源部と発光体部とを全体として直方体状を呈するように連設したことを特徴とする蓄光誘導灯。
【請求項５】
近紫外光を発するブラックライト発光ダイオード等を用い、直方体状に形成した光源部と、
この光源部からの近紫外光の照射領域に配置され前記近紫外光を導光拡散させるとともに、拡散光の放射面に蓄光材を含み所定の色に着色された誘導標識部を備え、拡散光を受光蓄積して光源部からの光遮断時に誘導標識部自体を発光させる蓄光表示体と、この蓄光表示体の表面側に配置した表面カバー体と、蓄光表示体の背面側と遮蔽カバー体との間に配置した反射シートと、前記蓄光表示体の背面側に配置した遮蔽カバー体と、を一体化した発光体部と、
を有し、
前記光源部と発光体部とを全体として直方体状を呈するように連設したことを特徴とする蓄光誘導灯。
【請求項６】
蛍光灯を用いた光源部と、
この光源部からの光を背面側で受光するとともに、蓄光材を含み所定の色に着色された誘導標識部が設けられ、光源部からの光を受光蓄積し光源部からの光遮断時に誘導標識部自体を発光させる表面蓄光表示体と、
この表面蓄光表示体の背面側に前記光源部を内蔵する状態で配置した遮蔽カバー体と、
を具備し、
全体として直方体状を呈するように構成したことを特徴とする蓄光誘導灯。
【請求項７】
蛍光灯を用いた光源部と、
この光源部からの光を背面側で受光するとともに、蓄光材を含み所定の色に着色された誘導標識部が設けられ、光源部からの光を受光蓄積し光源部からの光遮断時に誘導標識部自体を発光させる表面蓄光表示体と、
この表面蓄光表示体の背面側に前記光源部を内蔵する状態で配置した光反射面を有する遮蔽カバー体と、
を具備し、
全体として直方体状を呈するように構成したことを特徴とする蓄光誘導灯。
【請求項８】
発光ダイオード等を用いた光源部と、
この光源部からの光を導光する透明板と、所定の色に着色された誘導標識部を有し該透明板により導光される光により発光する表面カバー体と、背面側に配置した遮蔽カバー体と、を一体化した発光体部と、
を有し、
前記光源部に発光体部を連設したことを特徴とする蓄光誘導灯。
【請求項９】
発光ダイオード等を用いた光源部と、
蓄光顔料を塗布した透明板からなり、光源部からの光を蓄積しながら光を導光し光源部からの光遮断時に蓄積光を残光として放射する導光体と、表面側に配置した所定の色に着色された誘導標識部を有し導光体により導光される光又は蓄積光により発光する表面カバー体又は当該表面カバー体に代替して前記導光体の表面側に所定の色に着色された誘導標識部と、背面側に配置した遮蔽カバー体と、を一体化した発光体部と、
を有し、
前記光源部に発光体部を連設したことを特徴とする蓄光誘導灯。
【請求項１０】
発光ダイオード等を用いた光源部と、
蓄光顔料を塗布した透明板からなり、光源部からの光を蓄積しながら光を導光し光源部からの光遮断時に蓄積光を残光として放射する導光体と、表面側に配置した所定の色に着色された誘導標識部を有し導光体により導光される光又は蓄積光により発光する表面カバー体又は当該表面カバー体に代替して前記導光体の表面側に所定の色に着色された誘導標識部と、背面側に配置した遮蔽カバー体と、導光体の背面側と遮蔽カバー体との間に配置した反射シートと、を一体化した発光体部と、
を有し、
前記光源部に発光体部を連設したことを特徴とする蓄光誘導灯。
【考案の詳細な説明】
【技術分野】
【０００１】
本考案は、蓄光誘導灯に関し、詳しくは、商用電源が停止し補助電源が時間切れ等により機能を停止した場合でも誘導灯として有効に機能する蓄光誘導灯に関するものである。
【背景技術】
【０００２】
例えば、ビルディング等の建造物においては、災害等で停電が発生した場合に内部に存在する人に避難場所や避難経路を認識させるための誘導灯（避難誘導灯）を室内や通路等に設置することが義務付けられており、従来から蛍光管を光源とする内照式の誘導灯、導光板を用いた誘導灯等種々の構造の誘導灯が実用に供されている。
【０００３】
このような誘導灯に関しては、電気工業会によって一定の明るさを確保するための規制及び誘導標識部の色に関する規制が定められている。
【０００４】
上述したような誘導灯において、本来、蓄光材は無機物からなる顔料を主成分としており光透過性を有しないことから、内照式の誘導灯のように誘導標識の背面側から光を当て、蓄光材を含む誘導標識を発光させ、その前方において避難者等に視認させるためには誘導標識の光透過性について格別の工夫が必要となる。
【０００５】
また、誘導灯における誘導標識部の色に関しては、白色は白く、緑色は緑に発色させなければならないが、蓄光材を含む誘導標識の場合、背面側から光を当て、蓄光顔料の自体の固有色（黄色）を抑え、表示面の白色を確保することは難しい。
【０００６】
特許文献１には、収納部に光源を内蔵し、光源からの光を、スリットを介して光拡散板により拡散させ、光拡散板の一面に設けた蓄光性蛍光体を用いた表示部により蓄光して発光させるように構成した避難誘導灯が開示されている。
【０００７】
この避難誘導灯の場合においても、上述した場合と同様白色を白に、緑色を緑に発色させることは難しい。また、既存の誘導灯を簡略に蓄光式誘導灯に転換させるというような配慮はなされていない。
【特許文献１】登録実用新案第３００８８９９号公報
【考案の開示】
【考案が解決しようとする課題】
【０００８】
本考案が解決しようとする問題点は、表示面の表示色を適正に確保でき、かつ、既存の誘導灯を簡略に蓄光式誘導灯に転換し得るような簡略構成の蓄光誘導灯が存在しない点である。
【課題を解決するための手段】
【０００９】
本考案の蓄光誘導灯は、発光ダイオード等を用いた光源部と、この光源部からの光を導光拡散させる導光拡散板と、導光拡散板からの拡散光を受光し蓄積しながら白色光を提供し光源部からの光遮断時に蓄積光を残光として放射する蓄光板と、所定の色に着色された誘導標識部を有し光源部からの光遮断時に前記蓄光板からの残光により発光する表面カバー体と、を一体化した発光体部と、を有し、前記光源部に発光体部を連設したことを最も主要な特徴とする。
【考案の効果】
【００１０】
請求項１及び２記載の考案によれば、誘導型の構成で、停電時等において表面カバー体の誘導標識部の表示色を高輝度状態で発光させ、避難を望む人等に対する的確な避難誘導機能を発揮させることができるとともに、既存の誘導灯に配置されている白色板を蓄光板に取り替えるだけで、この既存の誘導灯を簡略に蓄光式の誘導灯に転換できるという斬新な効果を奏する蓄光誘導灯を提供できる。
【００１１】
請求項３記載の考案によれば、請求項１、２記載の考案の効果を奏することに加え、反射シートを付加したことにより、蓄光板への光の拡散効率をより高め、蓄光板の蓄光効率をより高めることができる蓄光誘導灯を提供できる。
【００１２】
請求項４記載の考案によれば、ブラックライト発光ダイオードを用い、誘導型の構成で、停電時等において誘導標識部自体を高輝度状態で発光させ、避難を望む人等に対する的確な避難誘導機能を発揮させることができる蓄光誘導灯を提供できる。
【００１３】
請求項５記載の考案によれば、請求項４記載の考案の効果を奏することに加え、反射シートを付加したことにより、蓄光板への光の拡散効率をより高め、蓄光板の蓄光効率をより高めることができる蓄光誘導灯を提供できる。
【００１４】
請求項６記載の考案によれば、内照式の構成で、表面蓄光表示体の誘導標識部を高輝度で発光させ、避難を望む人等に対する的確な避難誘導機能を発揮させることができるとともに、既存の内照式の誘導灯に設置されている表示板を、前記誘導標識部を有する表面蓄光表示体と交換するだけで、既存の内照式の誘導灯を簡略に内照式の蓄光誘導灯に転換することができる蓄光誘導灯を提供できる。
【００１５】
請求項７記載の考案によれば、請求項６記載の考案の効果を奏することに加え、遮蔽体カバー体に光反射面を設けたことにより誘導標識部の蓄光効率をより高めることができる蓄光誘導灯を提供できる。
【００１６】
請求項８記載の考案によれば、誘導型の構成で、かつ、安価な透明板を使用した簡略安価な構成で、表面カバー体の誘導標識部を発光させ、避難を望む人等に対する的確な避難誘導機能を発揮させることができる蓄光誘導灯を提供することができる。
請求項９記載の考案によれば、請求項８記載の考案の効果に加え、蓄光顔料を塗布した透明板からなる導光体を使用していることから、光源部からの光遮断時においても蓄積光により表面カバー体の誘導標識部又は当該表面カバー体に代替して前記導光体の表面側に所定の色に着色された誘導標識部を発光させ、避難を望む人等に対する的確な避難誘導機能を発揮させる簡略安価な構成の蓄光誘導灯を提供することができる。
請求項１０記載の考案によれば、請求項８、９記載の考案の各効果を奏することに加えて、反射シートを付加したことにより、誘導標識部をより高輝度で発光させることができる蓄光誘導灯を提供できる。
【考案を実施するための最良の形態】
【００１７】
本考案は、表示面の表示色を適正に確保でき、かつ、既存の誘導灯を簡略に蓄光式誘導灯に転換し得る簡略構成の蓄光誘導灯を提供するという目的を、発光ダイオード等を用い、直方体状に形成した光源部と、この光源部からの光を導光拡散させる導光拡散板と、導光拡散板からの拡散光を受光し蓄積しながら白色光を提供し光源部からの光遮断時に蓄積光を残光として放射する蓄光板と、所定の色に着色された誘導標識部を有し光源部からの光遮断時に前記蓄光板からの残光により発光する表面カバー体と、前記導光拡散板の背面側に配置した遮蔽カバー体と、前記導光拡散板の背面側と遮蔽カバー体との間に配置した反射シートと、を一体化した発光体部と、を有し、前記光源部と発光体部とを全体として直方体状を呈するように連設した構成により実現した。
【実施例】
【００１８】
以下に、本考案の実施例に係る蓄光誘導灯について図面を参照して詳細に説明する。
【００１９】
（実施例１）
図１、図２を参照して本考案の実施例１に係る蓄光誘導灯１について説明する。本実施例１に係る蓄光誘導灯１は、図１、図２に示すように、導光式に構成したものであり、直方体状に形成した光源部２と、直方体状に一体化した発光体部１０とを全体として直方体状を呈するように連設したものである。
【００２０】
すなわち、本実施例１に係る蓄光誘導灯１における光源部２は、例えば赤色ＬＥＤ、黄色ＬＥＤ等のような可視光を発する４個の発光ダイオード３を、下方が開口した直方体状の光源収納体４に光照射方向を下向きとして所定の間隔で列設することにより構成している。前記光源部２としては、冷陰極管、蛍光灯等を用いることもできる。以下の各実施例においても同様である。
【００２１】
また、発光体部１０は、前記光源部２の下部において各発光ダイオード３からの光の照射領域に臨むように、かつ、上端部を前記光源収納体４の開口内に挿入する状態に配置され、前記各発光ダイオード３からの光を導光拡散させる例えば透明材からなる導光拡散板１１と、この導光拡散板１１の表面側（図２において手前側）に配置され、導光拡散板１１からの拡散光を受光して蓄光し前記発光ダイオード３からの光が遮断（停電、予備電源機能停止等）した時、白色光を残光として放射する蓄光材を含む例えばフィルム状の蓄光板１２と、所定の色に着色された誘導標識部１４が設けられるとともに、前記蓄光板１２の表面側に配置され前記発光ダイオード３からの光が遮断した時前記蓄光板１２からの残光により誘導標識部１４自体の色で発光する表面カバー体１３と、前記導光拡散板１１の背面側に配置した光透過性を有しない遮蔽カバー体１５とを具備し、これらを直方体状に一体化するように構成している。
【００２２】
そして、前記表面カバー体１３の両側に設けた折曲片１３ａ、１３ａと、遮蔽カバー体１５の両側に設けた折曲片１５ａ、１５ａとにより前記蓄光板１２、導光拡散板１１の両側を囲むようにしつつ発光体部１０と光源部２とが全体として直方体状を呈するように一体的に連設している。前記蓄光板１２を構成する蓄光材としては、例えば、根本特殊科学（株）：ルミノーバ（登録商標）Ｇシリーズを使用する。
【００２３】
前記導光拡散板１１の遮蔽カバー体１５側の面には、光拡散面１１ａを形成している。
【００２４】
前記表面カバー体１３における誘導標識部１４は、例えば折曲片１３ａ、１３ａを設けた光透過性を有する基板の表面に、白色地色部１４ａと、その中央部を占める一方向に向けた緑色の矢印部１４ｂとを塗布形成、印刷形成、フィルム貼着等により構成している。
【００２５】
なお、図１、図２に示す誘導標識部１４はあくまで一例であり、この他、左右両方向に向けた一対の矢印部、矢印部と走行人物像との組み合わせ等、種々の形態の誘導標識部１４を構成し得ることは言うまでもない。
【００２６】
また、本実施例１に係る蓄光誘導灯１において、前記光源部２における４個の発光ダイオード３に関する配線系、駆動電源等は図示省略する。更に、発光ダイオード３の配置個数も４個に限らず、３個、５個等任意個数とすることが可能である。
【００２７】
本実施例１に係る蓄光誘導灯１において、前記４個の発光ダイオード３の配線系、駆動電源（商用電源、予備電源）については図示省略するが、公知の手段により４個の発光ダイオード３に対する所要の電力供給が行われるように構成している。
【００２８】
本実施例１に係る蓄光誘導灯１において、通常時には駆動電源により４個の発光ダイオード３が発光し、発光ダイオード３からの光は、前記導光拡散板１１により導光され、かつ、前記光拡散面１１ａにより拡散されて蓄光板１２に入射する。蓄光板１２は、導光拡散板１１からの拡散光を受光して蓄光する。
【００２９】
例えば夜間において停電、地震等により駆動電源である商用電源が遮断し、予備電源も機能を停止して、蓄光誘導灯１の設置箇所周辺が暗闇となった時、前記蓄光板１２は、それまでの蓄光に基づき白色光を残光として前記表面カバー体１３の誘導標識部１４を照射する。
【００３０】
これにより、前記表面カバー体１３の誘導標識部１４における白色地色部１４ａ、緑色の矢印部１４ｂは各々高輝度状態で発光し、避難を望む人等に対する的確な避難誘導機能を発揮する。
【００３１】
また、本実施例１に係る蓄光誘導灯１は、前記導光拡散板１１と表面カバー体１３との間に蓄光板１２を配置して、蓄光板１２により蓄光、残光放射を行う構成であることから、既存の誘導灯に配置されている白色板を蓄光板１２に取り替えるだけで、この既存の誘導灯を簡略に蓄光式の誘導灯に転換できるという斬新な効果を奏する。
【００３２】
（実施例２）
次に、図３、図４を参照して本考案の実施例２に係る蓄光誘導灯１Ａについて説明する。本実施例２に係る蓄光誘導灯１Ａは、図１、図２に示す実施例１に係る蓄光誘導灯１と略同様な構成であり、同一の要素には同一の符号を付し、詳細な説明は省略する。
【００３３】
本実施例２に係る蓄光誘導灯１Ａは、実施例１に係る蓄光誘導灯１の構成に加えて、前記導光拡散板１１の背面側と遮蔽カバー体１５との間に光の高反射性を有する例えば白色の反射シート２１を配置したことが特徴である。
【００３４】
本実施例２に係る蓄光誘導灯１Ａによれば、実施例１に係る蓄光誘導灯１と同様な効果を奏することに加え、前記反射シート２１を付加したことにより、導光拡散板１１から蓄光板１２への光の拡散効率をより高め、蓄光板１２の蓄光効率をより高めることができる。
【００３５】
（実施例３）
次に、図５、図６を参照して、本考案の実施例３に係る蓄光誘導灯１Ｂについて説明する。
本実施例３に係る蓄光誘導灯１Ｂは、図５、図６に示すように導光式に構成したものであり、直方体状に形成した光源部３０と、直方体状に一体化した発光体部４０とを全体として直方体状を呈するように連設したものである。
【００３６】
すなわち、本実施例３に係る蓄光誘導灯１Ｂにおける光源部３０は、例えば近紫外光（ＵＶ−Ａ）を発する４個のブラックライト発光ダイオード３１を下方が開口した直方体状の光源収納体３２に光照射方向を下向きとして所定の間隔で列設することにより構成している。
【００３７】
また、発光体部４０は、前記光源部３０の下部において各ブラックライト発光ダイオード３１からの光の照射領域に臨むように、かつ、上端部を前記光源収納体３２の開口内に挿入する状態に配置され、前記各ブラックライト発光ダイオード３１からの光を導光拡散させるとともに、拡散光の放射面４１ｂに蓄光材を含み所定の色に着色された誘導標識部４３を備え、拡散光を受光蓄積して光源部３０からの光遮断時に誘導標識部４３自体を発光させる例えば透明材からなる蓄光表示体４１と、この蓄光表示体４１の表面側に配置した例えば透明材からなる表面カバー体４２と、前記蓄光表示体４１の背面側に配置した実施例１の場合と同様な遮蔽カバー体１５とを具備し、これらを直方体状に一体化するように構成している。
【００３８】
そして、前記表面カバー体４２の両側に設けた折曲片４２ａ、４２ａと、遮蔽カバー体１５の両側に設けた折曲片１５ａ、１５ａとにより前記蓄光表示体４１の両側を囲むようにしつつ発光体部４０と光源部３０とが全体として直方体状を呈するように一体的に連設している。前記蓄光表示体４１の遮蔽カバー体１５側の面には、光拡散面４１ａを形成している。
【００３９】
前記誘導標識部４３は、前記放射面４１ｂに、図７に一部を概略的に示すような蓄光表示片４４を貼付することにより構成している。
【００４０】
前記蓄光表示片４４は、例えば薄型で柔軟性があり、白色を呈するポリエステルフィルム素材４５の表面に、高耐久性を有するマイクロ皮膜からなり低照度蓄光、高輝度、長時間発光を実現可能な誘導標識部４３を構成する蓄光顔料層４６をシルク印刷加工し、更に蓄光顔料層４６の表面に耐水、防傷、防汚性に優れ清掃容易なラミネート加工層４７を形成し、前記ポリエステルフィルム素材４５の背面に高粘着性を有する接着層４８を設けて、この接着層４８により蓄光表示片４４を前記放射面４１ｂに貼付して構成してもよい。
【００４１】
前記蓄光顔料層４６を形成するための蓄光顔料としては、例えば、根本特殊科学（株）：ルミノーバ（登録商標）Ｇシリーズを使用する。
【００４２】
前記蓄光顔料層４６をもって構成される誘導標識部４３は、例えば図８にも示すように、白色地色部４３ａと、その中央部を占める一方向に向けた緑色の矢印部４３ｂとを有している。
【００４３】
なお、図５、図６に示す誘導標識部４３はあくまで一例であり、この他、左右両方向に向けた一対の矢印部、矢印部と走行人物像との組み合わせ等、種々の形態の誘導標識部４３を構成し得ることは言うまでもない。
【００４４】
また、本実施例３に係る蓄光誘導灯１Ｂにおいて、前記光源部３０における４個のブラックライト発光ダイオード３１に関する配線系、駆動電源等は図示省略する。更に、ブラックライト発光ダイオード３１の配置個数も４個に限らず、３個、５個等任意個数とすることが可能である。
【００４５】
前記蓄光表示片４４と、ＪＩＳ  Ｚ  ９１０７の蓄光標示板との時間変化に伴う残光輝度の比較を図９に示す。図９から明らかなように、本実施例３の蓄光表示片４４によれば、６０分経過でＪＩＳの蓄光標示板の約３倍の残光輝度があり、初期輝度でも数倍の残光輝度を有し優れた特性を発揮する。
【００４６】
また、本実施例３の蓄光表示片４４の残光時間と輝度との関係を図１０に示す。図１０から明らかなように、本実施例３の蓄光表示片４４は、４時間（２４０分）経過後も５ｍｃｄ／ｍ2の輝度を有する。なお、人が暗闇で明るさの間隔をはっきりと認識するためには、約５ｍｃｄ／ｍ2の輝度が必要とされており、本実施例３の蓄光表示片４４の優れた残光輝度特性が判明した。図１１は、通常の視認能力を有する１０人に関する輝度と明るさの程度の認識度合いを示すものである。
【００４７】
本実施例３に係る蓄光誘導灯１Ｂにおいて、通常時には駆動電源により４個のブラックライト発光ダイオード３１に所要の電力が供給され、各ブラックライト発光ダイオード３１は、近紫外光を発する。各ブラックライト発光ダイオード３１からの近紫外光は、蓄光表示体４１により導光され前記光拡散面４１ａにより拡散されて放射面４１ｂに設けた誘導標識部４３に入射しこの誘導標識部４３において蓄光され、また、同時に誘導標識部４３自体が発光する。
【００４８】
例えば夜間において停電、地震等により駆動電源である商用電源が遮断し、予備電源も機能を停止して、蓄光誘導灯１Ｂの設置箇所周辺が暗闇となった時、前記誘導標識部４３はそれまでの蓄光に基づき、白色地色部４３ａ、緑色の矢印部４３ｂを各々本来の白色、緑色で高輝度状態で発光させる。これにより、避難を望む人等に対する的確な避難誘導機能を発揮させることができる。
【００４９】
（実施例４）
次に、図１２、図１３を参照して本考案の実施例４に係る蓄光誘導灯１Ｃについて説明する。
本実施例４に係る蓄光誘導灯１Ｃは、図５、図６に示す実施例３に係る蓄光誘導灯１Ｂと略同様な構成であり、同一の要素には同一の符号を付し、詳細な説明は省略する。
【００５０】
本実施例４に係る蓄光誘導灯１Ｃは、前記実施例３に係る蓄光誘導灯１Ｂの構成に加えて、前記蓄光表示体４１の背面側と遮蔽カバー体１５との間に光の高反射性を有する例えば白色の反射シート４９を配置したことが特徴である。この場合、前記蓄光表示体４１の背面側と遮蔽カバー体１５との間に蓄光板１２及び反射シート４９の両方を挿入して発光を強化することもできる。また、遮蔽カバー体１５の替わりに表面カバー体４２を配置し、両面発光型とすることもできる。
【００５１】
本実施例４に係る蓄光誘導灯１Ｃによれば、実施例３に係る蓄光誘導灯１Ｂと同様な効果を奏することに加え、前記反射シート４９を付加したことにより、前記蓄光表示体４１の光の拡散効率をより高め、前記誘導標識部４３の蓄光効率をより高めることができる。
【００５２】
（実施例５）
次に、図１４、図１５を参照して本考案の実施例５に係る蓄光誘導灯１Ｄについて説明する。
【００５３】
本実施例５に係る蓄光誘導灯１Ｄは、図１４、図１５に示すように内照式に構成したものであり、例えば２本の蛍光灯５１を間隔を隔て平行配置とした光源部５０と、この光源部５０からの光を背面側で受光する表面蓄光表示体５３と、背面側に前記光源部５０の２本の蛍光灯５１を内蔵する状態で配置した光の高反射性を有し誘導標識部４３の蓄光効率を高める光反射面５４ｂを備えた遮蔽カバー体５４とを具備し、全体として直方体状を呈するように構成している。
【００５４】
前記表面蓄光表示体５３は、４辺に各々折曲片５５ａを設けた句形皿状の透明基板の表面に、実施例３の場合と同様な構成からなる誘導標識部４３を構成する蓄光表示片４４を貼付することにより構成している。
【００５５】
また、前記遮蔽カバー体５４は、４辺に各々折曲片５４ａを設けた句形皿状に構成している。そして、表面蓄光表示体５３、遮蔽カバー体５４により２本の蛍光灯５１を内部に囲い込むようにしつつ全体を直方体状を呈するように一体化している。
【００５６】
なお、前記光源部５０としては、２本の蛍光灯５１により構成する場合の他、蛍光灯５１の設置個数は、３本、４本等更に多数本構成とすることができることは勿論である。また、前記光源部５０の配線系及び駆動電源については図示省略する。なお、前記光反射面５４ｂを設ける替わりに、光の高反射性を有する反射シートを配置する構成とすることも可能である。
【００５７】
本実施例５に係る蓄光誘導灯１Ｄによれば、内照式の構成で、通常時には駆動電源により２本の蛍光灯５１に所要の電力が供給され、各蛍光灯５１を発光させる。各蛍光灯５１からの光は、表面蓄光表示体５３の誘導標識部４３に入射してここで蓄光される。
【００５８】
例えば夜間において停電、地震等により駆動電源である商用電源が遮断し、予備電源も機能を停止して、蓄光誘導灯１Ｄの設置箇所周辺が暗闇となった時、前記蓄光誘導灯１Ｄの誘導標識部４３はそれまでの蓄光に基づき、白色地色部４３ａ、緑色の矢印部４３ｂを各々高輝度状態で発光させる。これにより、避難を望む人等に対する的確な避難誘導機能を発揮させることができる。
【００５９】
また、本実施例５に係る蓄光誘導灯１Ｄによれば、既存の内照式の誘導灯に設置されている表示板を、前記誘導標識部４３を有する蓄光表示片４４を貼付した表面蓄光表示体５３と交換するだけで、既存の内照式の誘導灯を簡略に内照式の蓄光誘導灯に転換することができるという斬新な効果を奏する。
【００６０】
（実施例６）
図１６乃至図１８を参照して、本考案の実施例６に係る蓄光誘導灯１Ｅについて説明する。
【００６１】
本実施例６に係る蓄光誘導灯１Ｅは、図１６、図１７に示すように、導光式に構成したものであり、かつ、実施例２の場合と同様な直方体状に形成した光源部２と、直方体状に一体化した発光体部６０とを全体として直方体状を呈するように連設したものである。
【００６２】
すなわち、本実施例６に係る発光体部６０は、前記光源部２の下部において各発光ダイオード３からの光の照射領域に臨むように、かつ、上端部を前記光源収納体４の開口内に挿入する状態に配置され、前記各発光ダイオード３からの光を導光させる例えばアクリル製の安価な透明板からなる導光体６１と、実施例２の場合と同様、所定の色に着色された誘導標識部１４が設けられた表面カバー体１３と、遮蔽カバー体１５と、反射シート２１とを具備し、これらを直方体状に一体化するように構成している。なお、図１８に示すように、前記表面カバー体１３に代替して、前記導光体６１の表面側に所定の色に着色された誘導標識部１４を印刷等の手段で配置するようにして実施しても良い。
【００６３】
本実施例６に係る蓄光誘導灯１Ｅによれば、誘導型の構成で、かつ、安価な透明板からなる導光体６１を使用した簡略安価な構成で、表面カバー体１３の誘導標識部１４又は当該表面カバー体１３に代替して前記導光体６１の表面側に所定の色に着色された誘導標識部１４を発光させ、避難を望む人等に対する的確な避難誘導機能を発揮させることができる蓄光誘導灯を提供することができる。また、反射シート２１を付加したことにより、誘導標識部をより高輝度で発光させることができる。
【００６４】
この蓄光誘導灯１Ｅにおいて、前記反射シート２１を省略した構成とすることもでき、この場合でも簡略安価な構成で、表面カバー体の誘導標識部又は当該表面カバー体１３に代替して前記導光体６１の表面側に所定の色に着色された誘導標識部１４を発光させ、避難を望む人等に対する的確な避難誘導機能を発揮させることができる蓄光誘導灯を提供することができる。
【００６５】
また、前記導光体６１の替わりに、図１８に示す蓄光顔料６２を塗布した透明板からなる導光体６１Ａを使用する構成とすることもでき、この構成とすれば、光源部２からの光遮断時においても蓄光顔料６２による蓄積光により表面カバー体１３の誘導標識部１４又は当該表面カバー体１３に代替して前記導光体６１の表面側に所定の色に着色された誘導標識部１４を発光させ、避難を望む人等に対する的確な避難誘導機能を発揮させることができる簡略安価な構成の蓄光誘導灯を提供することができる。
【産業上の利用可能性】
【００６６】
本考案は、上述した場合の他、例えば前記蓄光表示片自体を壁面或いは床面に貼り付けて、通常時には室内や通路等の蛍光灯又は太陽光等による照明光により蓄光させ、夜間において停電、地震等により照明光が遮断したときに蓄光表示片を発光させて避難誘導機能を発揮させるという応用も可能である。
【図面の簡単な説明】
【００６７】
【図１】本考案の実施例１に係る蓄光誘導灯の外観構成を示す斜視図である。
【図２】本考案の実施例１に係る蓄光誘導灯の分解斜視図である。
【図３】本考案の実施例２に係る蓄光誘導灯の外観構成を示す斜視図である。
【図４】本考案の実施例２に係る蓄光誘導灯の分解斜視図である。
【図５】本考案の実施例３に係る蓄光誘導灯の外観構成を示す斜視図である。
【図６】本考案の実施例３に係る蓄光誘導灯の分解斜視図である。
【図７】本考案の実施例３に係る蓄光誘導灯における蓄光表示片の一部を拡大して示す部分分解斜視図である。
【図８】本考案の実施例３に係る蓄光誘導灯における蓄光表示片の着色状態を示す説明図である。
【図９】本考案の実施例３に係る蓄光表示体と、ＪＩＳ  Ｚ  ９１０７の蓄光標示板との時間変化に伴う残光輝度の比較を示す表である。
【図１０】本考案の実施例３に係る蓄光表示体の残光時間と輝度との関係を示す表である。
【図１１】１０人に関する輝度と明るさの程度の認識度合いを示す表である。
【図１２】本考案の実施例４に係る蓄光誘導灯の外観構成を示す斜視図である。
【図１３】本考案の実施例４に係る蓄光誘導灯の分解斜視図である。
【図１４】本考案の実施例５に係る蓄光誘導灯の外観構成を示す斜視図である。
【図１５】本考案の実施例５に係る蓄光誘導灯の分解斜視図である。
【図１６】本考案の実施例６に係る蓄光誘導灯の外観構成を示す斜視図である。
【図１７】本考案の実施例６に係る蓄光誘導灯の分解斜視図である。
【図１８】本考案の実施例６に係る蓄光誘導灯の導光体の他例を示す斜視図である。（ａ）表面カバー体１３に代替して、印刷等の手段で、導光体６１の表面側に所定の色に着色された誘導標識部１４を配置した状態の斜視図である。（ｂ）表面カバー体１３に代替して、印刷等の手段で、導光体６１の表面側に所定の色に着色された誘導標識部１４を配置した状態の側面図である。
【符号の説明】
【００６８】
１    蓄光誘導灯
１Ａ  蓄光誘導灯
１Ｂ  蓄光誘導灯
１Ｃ  蓄光誘導灯
１Ｄ  蓄光誘導灯
１Ｅ  蓄光誘導灯
２    光源部
３    発光ダイオード
４    光源収納体
１０    発光体部
１１    導光拡散板
１１ａ  光拡散面
１２    蓄光板
１３    表面カバー体
１３ａ  折曲片
１４    表面カバー体１３の誘導標識部又は導光体６１の表面側に所定の色に着色された誘導標識部
１４ａ  白色地色部
１４ｂ  矢印部
１５    遮蔽カバー体
１５ａ  折曲片
２１    反射シート
３０    光源部
３１    ブラックライト発光ダイオード
３２    光源収納体
４０    発光体部
４１    蓄光表示体
４１ａ  光拡散面
４１ｂ  放射面
４２    表面カバー体
４２ａ  折曲片
４３    誘導標識部
４３ａ  白色地色部
４３ｂ  矢印部
４４    蓄光表示片
４５    ポリエステルフィルム素材
４６    蓄光顔料層
４７    ラミネート加工層
４８    接着層
４９    反射シート
５０    光源部
５１    蛍光灯
５３    表面蓄光表示体
５４    遮蔽カバー体
５４ａ  折曲片
５４ｂ  光反射面
５５ａ  折曲片
６０    発光体部
６１    導光体
６１Ａ  導光体
６２    蓄光顔料
【図１】
0003126797.tif 000003
【図２】
0003126797.tif 000004
【図３】
0003126797.tif 000005
【図４】
0003126797.tif 000006
【図５】
0003126797.tif 000007
【図６】
0003126797.tif 000008
【図７】
0003126797.tif 000009
【図８】
0003126797.tif 000010
【図９】
0003126797.tif 000011
【図１０】
0003126797.tif 000012
【図１１】
0003126797.tif 000013
【図１２】
0003126797.tif 000014
【図１３】
0003126797.tif 000015
【図１４】
0003126797.tif 000016
【図１５】
0003126797.tif 000017
【図１６】
0003126797.tif 000018
【図１７】
0003126797.tif 000019
【図１８】
0003126797.tif 000020